(57)【要約】【課題】作業者の配線作業の工数を低減できる接続装置及び接続システムを提供することである。【解決手段】実施形態の接続装置は、第１の接続部と、第２の接続部と、接続導体と、切替部とを持つ。第１の接続部は、第１の電線が接続される複数の第１端子を持つ。第２の接続部は、第２の電線が接続される複数の第２端子を持つ。接続導体は、第１端子と第２端子とを導通させる。切替部は、一の第１端子と他の第１端子との間の状態について、導通する導通状態と、導通しない非導通状態とを切り替える。【選択図】図１
2015176635.tif 000002
【特許請求の範囲】
【請求項１】
第１の電線が接続される複数の第１端子を有する第１の接続部と、
第２の電線が接続される複数の第２端子を有する第２の接続部と、
前記第１端子と前記第２端子とを導通させる接続導体と、
一の第１端子と他の第１端子との間の状態について、導通する導通状態と、導通しない非導通状態とを切り替える切替部と、
を有する接続装置。
【請求項２】
前記切替部は、メカニカルスイッチである請求項１に記載の接続装置。
【請求項３】
前記切替部は、半導体スイッチである請求項１に記載の接続装置。
【請求項４】
外部機器を制御するコントローラと、
前記コントローラに接続される第１の電線と前記外部機器に接続される第２の電線とを接続する接続装置と、
を有する接続する接続システムであって、
第１の電線が接続される複数の第１端子を有する第１の接続部と、
第２の電線が接続される複数の第２端子を有する第２の接続部と、
前記第１端子と前記第２端子とを導通させる接続導体と、
一の第１端子と他の第１端子との間の状態について、導通する導通状態と、導通しない非導通状態とのいずれかを指定する制御信号を前記コントローラから受信し、前記制御信号に基づいて、前記一の第１端子と前記他の第１端子との間の状態について、導通する導通状態と、導通しない非導通状態とを切り替える切替部と、
を有する接続システム。
【請求項５】
前記コントローラは、外部から展開接続図データを取得し、取得した前記展開接続図データに基づいて前記制御信号を生成する請求項４に記載の接続システム。
【発明の詳細な説明】
【技術分野】
【０００１】
本発明の実施形態は、接続装置及び接続システムに関する。
【背景技術】
【０００２】
制御盤からの電線と外部機器からの電線との各々を接続する接続装置として、互いに導通する２つの端子（以下、「対端子」という。）を複数有した端子台が使用されている。作業者は、この対端子に制御盤からの電線と外部機器からの電線との各々を接続することで、電線間を導通させる。また、作業者は、複数の電線を導通させる場合、その複数の電線が接続された端子間を渡り配線する。
しかしながら、新たな外部機器を追加することで制御盤の制御内容が変更した場合、作業者は、変更内容に応じで渡り配線の変更や電線の取り外しの作業を行う。よって、作業者の配線作業の工数が増大する場合があった。
【先行技術文献】
【特許文献】
【０００３】
【特許文献１】実公昭６３−３８５４２号公報
【発明の概要】
【発明が解決しようとする課題】
【０００４】
本発明が解決しようとする課題は、作業者の配線作業の工数を低減できる接続装置及び接続システムを提供することである。
【課題を解決するための手段】
【０００５】
実施形態の接続装置は、第１の接続部と、第２の接続部と、接続導体と、切替部とを持つ。第１の接続部は、第１の電線が接続される複数の第１端子を持つ。第２の接続部は、第２の電線が接続される複数の第２端子を持つ。接続導体は、第１端子と第２端子とを導通させる。切替部は、一の第１端子と他の第１端子との間の状態について、導通する導通状態と、導通しない非導通状態とを切り替える。
【図面の簡単な説明】
【０００６】
【図１】第１の実施形態の接続装置１を模式的に示す平面図。
【図２】第１の実施形態の接続装置１の回路図。
【図３】第２の実施形態の接続装置１Ａを模式的に示す平面図。
【図４】第２の実施形態の接続装置１Ａの回路図。
【図５】第３の実施形態の接続装置１Ｂの接続システムを示す模式図。
【図６】第３の実施形態の接続装置１Ｂの回路図。
【図７】第３の実施形態の接続装置１Ｂの接続システムの動作を示すシーケンス図。
【図８】第４の実施形態の接続装置１Ｃの接続システムを示す模式図。
【図９】第４の実施形態の接続装置１Ｃの回路図。
【図１０】第４の実施形態の接続装置１Ｃの接続システムの動作を示すシーケンス図。
【発明を実施するための形態】
【０００７】
以下、実施形態の接続装置を、図面を参照して説明する。
【０００８】
（第１の実施形態）
図１は、第１の実施形態の接続装置１を模式的に示す平面図である。
接続装置１は、第１の接続部２と、第２の接続部３と、切替部４とを有する。
第１の接続部２は、制御盤からの電線が接続される。第１の接続部２は、複数の第１端子２１（第１端子２１−１〜２１−８）を有する。
第１端子２１の各々は、縦列に配置される。また、隣接する第１端子の各々は、絶縁体５で仕切られている。
【０００９】
第２の接続部３は、外部機器からの電線が接続される。第２の接続部３は、複数の第２端子２２（第２端子２２−１〜２２−８）を有する。
第２端子２２の各々は、縦列に配置されている。また、隣接する第２端子の各々は、絶縁体５で仕切られている。
【００１０】
第１端子２１の各々は、第２端子２２の各々と互いに向かい合うように配置されている。例えば、第１端子２１−１は、第２端子２２−１と向かい合うように配置されている。また、第１端子２１−２は、第２端子２２−２と向かい合うように配置されている。
向かい合う第１端子２１と第２端子２２との各々（以下、「対端子」という。）の間には、第１端子２１と第２端子２２とを導通させる接続導体２３が接続されている。
【００１１】
よって、制御盤からの電線（以下、「第１の電線」という。）と外部機器からの電線（以下、「第２の電線」という。）とを接続するには、第１の電線を第１端子２１に接続する。また、接続された第１端子２１と対端子をなす第２端子２２に第２の電線を接続する。これにより、第１の電線は、第２の電線と導通する。
【００１２】
切替部４は、作業者によって操作されるスイッチ３１と、スイッチ３２と、スイッチ３３とを有する。
スイッチ３１、３２、３３は、突起部と、複数の接点とを有する。スイッチ３１、３２、３３は、突起部の操作に応じで物理的なスイッチの接点についてオンオフが切り替わるメカニカルスイッチである。スイッチ３１、３２、３３は、作業者からの突起部の操作に応じて接点間を導通状態又は非導通状態にする。スイッチ３１、３２、３３は、例えば、押しボタン、押しスイッチ、ディップスイッチ、スライドスイッチ、ダイヤル等である。
作業者は、スイッチ３１、３２、３３の突起部を操作することで、第１端子の各々を導通又は非導通させる。これにより、いずれの第１端子と他の第１端子との導通状態、すなわち渡り配線に対応した導通パターンに簡単に変更することができる。
【００１３】
次に、第１の実施形態の接続装置１の内部回路について、図２を用いて説明する。図２は、第１の実施形態の接続装置１の内部回路を示す図である。
スイッチ３１の接点３０１は、第１端子２１−２に接続されている。スイッチ３１の接点３０２は、第１端子２１−４とスイッチ３２の接点３０３とに接続されている。スイッチ３２の接点３０４は、第１端子２１−６とスイッチ３３の接点３０５とに接続されている。スイッチ３３の接点３０６は、第１端子２１−８に接続されている。
【００１４】
以上のように、第１の実施形態の接続装置１は、一の第１端子と他の第１端子との間（以下、「第１端子間」という。）の状態について、導通する導通状態と、導通しない非導通状態とを切り替えるメカニカルスイッチを持つ。作業者がメカニカルスイッチの突起部を操作することで、接続装置１は、第１端子間を導通状態又は非導通状態にする。よって、作業者は、渡り配線をせずに第１端子間を導通状態にできるため、配線作業の工数を低減できる。
【００１５】
本実施形態では、スイッチ３１とスイッチ３２とスイッチ３３との各々は、接点毎に１つの第１端子が接続されているが、これに限定されない。例えば、スイッチ３１とスイッチ３２とスイッチ３３との各々は、接点毎に複数の第１端子２１が接続されてもよい。
【００１６】
また、本実施形態では、スイッチ３１とスイッチ３２とスイッチ３３とは、直列に接続されているが、これに限定されない。例えば、スイッチ３１とスイッチ３２とスイッチ３３とは、接点毎に第１端子２１が接続されていればよい。
また、本実施形態では、スイッチが３つである場合を説明したが、この数に限定されない。
【００１７】
（第２の実施形態）
図３は、第２の実施形態の接続装置１Ａを模式的に示す平面図である。また、図４は、第２の実施形態の接続装置１Ａの内部回路を示す図である。第１の実施形態と同様の構成には同一の符号を付してある。以下、構成が第１の実施形態と異なる点を説明する。
【００１８】
接続装置１Ａは、第１の接続部２と、第２の接続部３と、切替部４Ａとを有する。
切替部４Ａは、スイッチ３１と、スイッチ３２と、スイッチ３３と、スイッチング素子４１と、スイッチング素子４２と、スイッチング素子４３とを有する。
スイッチ３１の接点３０２は、抵抗Ｒを介して電源Ｖｃｃに接続されている。スイッチ３１の接点３０１は、スイッチング素子４１の制御端子に接続されている。
スイッチ３２の接点３０４は、抵抗Ｒを介して電源Ｖｃｃに接続されている。スイッチ３２の接点３０３は、スイッチング素子４２の制御端子に接続されている。
スイッチ３３の接点３０６は、抵抗Ｒを介して電源Ｖｃｃに接続されている。スイッチ３３の接点３０５は、スイッチング素子４３の制御端子に接続されている。なお、電源Ｖｃｃは、不図示の外部電源から供給されてもよいし、一次電池または二次電池から供給されてもよい。
【００１９】
スイッチング素子４１は、一方の端子が第１端子２１−２に接続され、他方の端子が第１端子２１−４に接続されている。スイッチング素子４２は、一方の端子が第１端子２１−４に接続され、他方の端子が第１端子２１−６に接続されている。スイッチング素子４３は、一方の端子が第１端子２１−６に接続され、他方の端子が第１端子２１−８に接続されている。
スイッチング素子４１、４２、４３は、複数の第１端子間を導通状態又は非通状態にする半導体スイッチであり、例えば、サイリスタ、トランジスタ、リレーなどである。
【００２０】
例えば、作業者が突起部を押下し、スイッチ３１の接点間を導通させた場合、電源Ｖｃｃからスイッチング素子４１の制御端子に駆動信号（電圧）が出力される。スイッチング素子４１は、駆動信号が入力されると、一方の端子と他方の端子とが導通状態となる。よって、第１端子２１−２は、第１端子２１−４と導通する。
【００２１】
以上のように、第１の実施形態の接続装置１Ａは、第１端子間を導通状態又は非導通状態に切り替える半導体スイッチを持つ。また、第１の実施形態の接続装置１Ａは、半導体スイッチを制御するメカニカルスイッチを持つ。作業者がメカニカルスイッチの突起部を操作することで、接続装置１Ａは、第１端子間を導通状態又は非導通状態にする。よって、作業者は、渡り配線をせずに第１端子間を導通状態にできるため、配線作業の工数を低減できる。
【００２２】
本実施形態では、スイッチング素子４１、４２、４３の各々は、接点毎に１つの第１端子が接続されているが、これに限定されない。例えば、スイッチング素子４１、４２、４３の各々は、接点毎に複数の第１端子２１が接続されてもよい。
【００２３】
また、本実施形態では、スイッチング素子４１、４２、４３の各々は、直列に接続されているが、これに限定されない。例えば、スイッチング素子４１、４２、４３の各々は、接点毎に第１端子２１が接続されていればよい。
また、本実施形態では、スイッチ及びスイッチング素子が３つである場合を説明したが、この数に限定されない。
【００２４】
（第３の実施形態）
図５は、第３の実施形態の接続装置１Ｂの接続システムを模式的に示す図である。第１の実施形態と同様の構成には同一の符号を付してある。以下、構成が第１の実施形態及び第２の実施形態と異なる点を説明する。
本実施形態の接続装置１Ｂの接続システムは、接続装置１Ｂと、コントローラ１０と、複数の外部機器６０（外部機器６０−１〜６０−４）とを有する。
【００２５】
接続装置１Ｂは、第１の接続部２と、第２の接続部３と、切替部４Ｂとを有する。
コントローラ１０は、上下水道システムなどである設置対象において、外部機器６０を動作させるためのプログラムを予め所定の記憶領域に記憶している。コントローラ１０は、この記憶されたプログラムを読み出して実行し、外部機器６０の各々にＯＮ／ＯＦＦ信号を出力することで、各外部機器６０の制御を行う。また、コントローラ１０は、切替部４Ｂに制御信号を出力する。コントローラ１０は、切替部４Ｂに制御信号を出力することで、第１端子２１の導通状態又は非導通状態の制御を行う。
ＯＮ／ＯＦＦ信号は、外部機器６０を駆動又は停止させる信号である。制御信号は、コントローラ１０が制御する第１端子２１の識別子と、その第１端子２１の制御内容（導通状態又は非導通状態）とを示す信号である。
【００２６】
コントローラ１０は、第１の接続部２に第１の電線５０〜５４を介して接続する。具体的には、第１の電線５０は、外部機器６０−１を制御するＯＮ／ＯＦＦ信号を出力する電線であり、第１端子２１−８に接続されている。第１の電線５１は、外部機器６０−２を制御するＯＮ／ＯＦＦ信号を出力する電線であり、第１端子２１−６に接続されている。第１の電線５２は、外部機器６０−３を制御するＯＮ／ＯＦＦ信号を出力する電線であり、第１端子２１−４に接続されている。第１の電線５３は、外部機器６０−４を制御するＯＮ／ＯＦＦ信号を出力する電線であり、第１端子２１−２に接続されている。第１の電線５４は、グランド線であり、第１端子２１−２に接続されている。
また、コントローラ１０は、制御線７０を介して接続装置１Ｂの切替部４Ｂに接続されている。制御線７０は、制御信号を出力する電線である。
【００２７】
外部機器６０は、コントローラ１０の制御対象である機器である。外部機器６０は、例えば、上下水道プラントで使用されるポンプや流量調節弁などである。
外部機器６０の各々は、第２の電線８０〜８３、９０〜９３を介してＯＮ／ＯＦＦ信号を受信することで駆動又は駆動を停止する。具体的には、第２の電線８０は、一方が外部機器６０−１のプラス端子に接続され、他方が第２端子２２−８に接続される。
第２の電線８１は、一方が外部機器６０−２のプラス端子に接続され、他方が第２端子２２−６に接続される。第２の電線８２は、一方が外部機器６０−３のプラス端子に接続され、他方が第２端子２２−４に接続される。第２の電線８３は、一方が外部機器６０−４のプラス端子に接続され、他方が第２端子２２−２に接続される。
【００２８】
第２の電線９０は、一方が外部機器６０−１のマイナス端子に接続され、他方が第２端子２２−７に接続される。第２の電線９１は、一方が外部機器６０−２のマイナス端子に接続され、他方が第２端子２２−５に接続される。第２の電線９２は、一方が外部機器６０−３のマイナス端子に接続され、他方が第２端子２２−３に接続される。第２の電線９３は、一方が外部機器６０−４のマイナス端子に接続され、他方が第２端子２２−１に接続される。
【００２９】
図６は、第３の実施形態の接続装置１Ｂの内部回路を示す図である。
切替部４Ｂは、通信部４Ｂ−１と、制御部４Ｂ−２と、スイッチング素子４１と、スイッチング素子４２と、スイッチング素子４３とを有する。
【００３０】
通信部４Ｂ−１は、制御線７０を介してコントローラ１０と通信し、制御信号を受信する。通信部４Ｂ−１は、制御信号を制御部４Ｂ−２に出力する。
【００３１】
制御部４Ｂ−２は、ポート１と、ポート２と、ポート３とを有する。制御部４Ｂ−２は、ポート１がスイッチング素子４１の制御端子、ポート２がスイッチング素子４２の制御端子、ポート３がスイッチング素子４３の制御端子にそれぞれ接続されている。
【００３２】
制御部４Ｂ−２は、通信部４Ｂ−１から制御信号を受信する。制御部４Ｂ−２は、受信した制御信号に基づいて、スイッチング素子４１〜４３を制御する。例えば、制御信号から第１端子の識別子を抽出する。制御部４Ｂ−２は、不図示の記憶部に予め記憶してある制御テーブルを参照し、抽出した識別子に対応するポート番号を取得する。制御テーブルは、第１端子の識別子と、第１端子の識別子毎のポート番号を対応させたテーブルである。
【００３３】
制御部４Ｂ−２は、制御内容が導通状態である場合、取得したポート番号から駆動信号を出力する。一方、制御部４Ｂ−２は、制御内容が非導通状態である場合、取得したポート番号から駆動信号を出力しない。
【００３４】
次に、接続装置１Ｂの接続システムの動作について説明する。図７は、接続装置１Ｂの接続システムの動作を示すシーケンス図である。
【００３５】
ステップＳ１０１において、コントローラ１０は、接続装置１Ｂの展開接続図を表す展開接続図データを取得する。例えば、作業者は、展開接続図データが格納されたＰＣ（personal computer）を接続装置１Ｂに無線又は有線で接続する。そして、ＰＣは展開接続図データをコントローラ１０に送信する。
【００３６】
ステップＳ１０２において、コントローラ１０は、展開接続図データをコンパイルする。つまり、コントローラ１０は、展開接続図データを接続装置１Ｂが読み取り可能な形式のデータ（以下、「インポートデータ」という。）に変換する。インポートデータは、第１端子の識別子と、その識別子に対応した第１端子毎の制御内容（導通状態又は非導通状態）とを有する。即ち、インポートデータは、上述した制御信号に相当する。
【００３７】
ステップＳ１０３において、コントローラ１０は、インポートデータを通信部４Ｂ−１に送信する。
ステップＳ１０４において、通信部４Ｂ−１はインポーデータを受信する。また、通信部４Ｂ−１は、受信したインポートデータを制御部４Ｂ−２に出力する。
【００３８】
ステップＳ１０５において、制御部４Ｂ−２は、通信部４Ｂ−１からインポーデータを受信する。制御部４Ｂ−２は、インポーデータから第１端子の識別子を抽出する。制御部４Ｂ−２は、不図示の記憶部に予め記憶してある制御テーブルを参照し、抽出した識別子に対応するポート番号を取得する。制御部４Ｂ−２は、制御内容が導通状態である場合、取得したポート番号から駆動信号を出力する。一方、制御部４Ｂ−２は、制御内容が非導通状態である場合、取得したポート番号から駆動信号を出力しない。
【００３９】
ステップＳ１０６において、スイッチング素子４１、４２、４３は、駆動信号を受信すると、第１端子間を導通状態にする。即ち、スイッチング素子４１、４２、４３は、第１端子２１−２と第２１−４と第２１−６と第２１−８とを導通状態にする。よって、コントローラ１０は、外部機器６０を駆動することができる。
【００４０】
以上のように、第１の実施形態の接続装置１Ｂは、第１端子間を導通状態又は非導通状態に切り替える半導体スイッチを持つ。第１の実施形態の接続装置１Ｂは、コントローラ１０から供給された制御信号に基づいて半導体スイッチを制御することができる。よって、作業者は、渡り配線をせずに第１端子間を導通状態にできるため、配線作業の工数を低減できる。また、作業者が展開接続図と異なる配線を行うことを防止することができる。
【００４１】
本実施形態では、スイッチング素子４１、４２、４３の各々は、接点毎に１つの第１端子が接続されているが、これに限定されない。例えば、スイッチング素子４１、４２、４３の各々は、接点毎に複数の第１端子が接続されてもよい。
【００４２】
また、本実施形態では、スイッチング素子４１、４２、４３の各々は、直列に接続されているが、これに限定されない。例えば、スイッチング素子４１、４２、４３の各々は、接点毎に第１端子が接続されていればよい。
【００４３】
（第４の実施形態）
図８は、第４の実施形態の接続装置１Ｃの接続システムを模式的に示す図である。また、図９は、第４の実施形態の接続装置１Ｃの内部回路を示す図である。以下、構成が上記実施形態と異なる点を説明する。
本実施形態の接続装置１Ｃの接続システムは、接続装置１Ｃと、コントローラ１０Ｃと、外部機器６０とを有する。
【００４４】
接続装置１Ｃは、第１の接続部２と、第２の接続部３と、切替部４Ｃとを有する。
切替部４Ｃは、作業者の操作に基づいて第１端子間を導通状態又は非導通状態にする。切替部４Ｃは、スイッチング素子４１と、スイッチング素子４２と、スイッチング素子４３とを有する。
【００４５】
コントローラ１０Ｃは、上下水道システムなどである設置対象において、外部機器６０を動作させるためのプログラムを予め所定の記憶領域に記憶している。コントローラ１０Ｃは、この記憶されたプログラムを読み出して実行し、外部機器６０の各々にＯＮ／ＯＦＦ信号を出力することで、各外部機器６０の制御を行う。
また、コントローラ１０Ｃは、展開接続図データに従って渡り配線に対応した導通パターンになるように切替部４Ｃを動作させるためのプログラムを予め所定の記憶領域に記憶している。コントローラ１０Ｃは、この記憶されたプログラムを読み出して実行し、切替部４Ｃに駆動信号を出力することで切替を行う。よって、コントローラ１０は、接続装置１Ｃの第１端子間の導通状態又は非導通状態の制御を行う。なお、コントローラ１０Ｃと第１の接続部２とを接続する第１の電線５０〜５４の配線は、第３の実施形態と同様である。よって、第１の電線５０〜５４の配線の説明を省略する。
【００４６】
コントローラ１０Ｃは、ポート１と、ポート２と、ポート３とを有する。コントローラ１０Ｃは、ポート１が制御線７１を介してスイッチング素子４１の制御端子に接続する。コントローラ１０Ｃは、ポート２が制御線７２を介してスイッチング素子４２の制御端子に接続する。コントローラ１０Ｃは、ポート３が制御線７３を介してスイッチング素子４３の制御端子に接続する。
コントローラ１０Ｃは、制御線７１〜７３を介して、スイッチング素子４１〜４３の各々に駆動信号を送信する。
【００４７】
次に、接続装置１Ｃの接続システムの動作について説明する。図１０は、接続装置１Ｃの接続システムの動作のシーケンス図である。
【００４８】
ステップＳ２０１において、コントローラ１０Ｃは、接続装置１Ｃの展開接続図データを取得する。例えば、作業者は、展開接続図データが格納されたＰＣを接続装置１Ｃに無線又は有線で接続する。そして、ＰＣは展開接続図データをコントローラ１０Ｃに送信する。
【００４９】
ステップＳ２０２において、コントローラ１０Ｃは、展開接続図データをコンパイルする。つまり、コントローラ１０Ｃは、展開接続図データを、コントローラ１０Ｃが読み取り可能な形式のデータ（以下、「コンパイルデータ」という。）に変換する。コンパイルデータは、第１端子の識別子と、その識別子に対応した第１端子間毎の制御内容（導通状態又は非導通状態）とを有する。
【００５０】
ステップＳ２０３において、コントローラ１０Ｃは、コンパイルデータから第１端子の識別子を抽出する。コントローラ１０Ｃは、不図示の記憶部に予め記憶してある制御テーブルを参照し、抽出した識別子に対応するポート番号を取得する。コントローラ１０Ｃは、制御内容が導通状態である場合、取得したポート番号から駆動信号を出力する。一方、制御部４Ｂ−２は、制御内容が非導通状態である場合、取得したポート番号から駆動信号を出力しない。
【００５１】
ステップＳ２０４において、スイッチング素子４１、４２、４３は、駆動信号を受信すると、第１端子間を導通状態にする。即ち、スイッチング素子４１、４２、４３は、第１端子２１−２と第２１−４と第２１−６と第２１−８とを導通状態にする。よって、コントローラ１０Ｃは、外部機器６０を駆動することができる。
【００５２】
本実施形態では、スイッチング素子４１、４２、４３の各々は、接点毎に１つの第１端子が接続されているが、これに限定されない。例えば、スイッチング素子４１、４２、４３の各々は、接点毎に複数の第１端子が接続されてもよい。
【００５３】
また、本実施形態では、スイッチング素子４１、４２、４３の各々は、直列に接続されているが、これに限定されない。例えば、スイッチング素子４１、４２、４３の各々は、接点毎に第１端子が接続されていればよい。
【００５４】
上記各実施形態では、第１端子と第２端子との各々が８つである場合を説明するが、この数に限定されない。
【００５５】
以上説明した少なくともひとつの実施形態によれば、切替部は、第１端子間が導通する導通状態と、第１端子間が電気的に切断された非導通状態とを第１端子間毎に切り替える切替部を持つことにより、作業者の配線作業の工数を低減できる。また、外部機器６０の制御内容あるいは外部機器６０の増減・入れ替えなどによる仕様変更が生じた場合であっても、切替部によって第１端子間の導通パターンを簡単に変更することができるので、渡り配線の付け替えをしなくてもよい。
【００５６】
また、接続装置を用いた上下水道システムなどの設備の仕様は、一般に、設備の利用者の要望に応じて決まる。この仕様は、すぐに仕様変更が生じる場合がある。そのため、設備施工者は、一般にこの仕様が確定した後、システムにおける装置間の各結線を行う。すなわち、仕様が確定しなければ、工事を進めることができない。しかし、上述した接続装置を用いた場合には、システム概要と必要な外部機器６０とがある程度確定した段階で、当該接続装置を介して結線を行う。そして、仕様が確定した後、現在の結線の状態と確定した仕様とに基づいて決まる渡り配線に対応するように切替部によって導通状態を切り替えることができる。よって、システムの仕様の確定後は、切替部の操作のみで済むため、システムの仕様の確定前にある程度の施工を進めることができ、システムの仕様の確定後の工数を減らすことができる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１…接続装置、２…第１の接続部、３…第２の接続部、４…切替部、１０、１０Ｃ…コントローラ、２１…第１端子、２２…第２端子、３１〜３３…スイッチ、４１〜４３…スイッチング素子、６０…外部機器、４Ｂ−１…通信部、４Ｂ−２…制御部
【図１】
2015176635.tif 000003
【図２】
2015176635.tif 000004
【図３】
2015176635.tif 000005
【図４】
2015176635.tif 000006
【図５】
2015176635.tif 000007
【図６】
2015176635.tif 000008
【図７】
2015176635.tif 000009
【図８】
2015176635.tif 000010
【図９】
2015176635.tif 000011
【図１０】
2015176635.tif 000012